(57)【要約】【課題】  可動体を含め台座の球通路から上側の部分を発光せることができ、きらびやかさをより演出できるようにする。【解決手段】  可変式入賞手段２９は、遊技盤９の前面に固定され且つ球通路４１が設けられた台座４２と、この台座４２上に前後方向の支軸４２ａにより枢支され且つ遊技球を球通路４１へと案内し易い第１状態Ａと案内しない第２状態Ｂとの間で回動自在な可動体４３と、台座４２の後方に配置され且つ可動体４３を各状態Ａ，Ｂに駆動する駆動手段４７とを有する。台座４２及び可動体４３は共に光透過性材料により構成する。そして、台座４２内に球通路４１の下側から可動体４３側へと光を照射する発光体４８を配置する。中空状の可動体４３の内部には後方に傾斜する傾斜リブ６０を設け、この傾斜リブ６０に乱反射部６０ａを設けている。【選択図】    図９
2011056313.tif 000002
【特許請求の範囲】
【請求項１】
遊技盤（９）の前面に固定され且つ球通路（４１）が設けられた台座（４２）と、該台座（４２）上に前後方向の支軸（４２ａ）により枢支され且つ遊技球を前記球通路（４１）へと案内し易い第１状態（Ａ）と案内しない又は案内し難い第２状態（Ｂ）との間で回動自在な可動体（４３）と、前記台座（４２）の後方に配置され且つ前記可動体（４３）を前記各状態（Ａ，Ｂ）に前記支軸（４２ａ）廻りに駆動する駆動手段（４７）とを有する可変式入賞手段（２９）を備えた弾球遊技機において、前記台座（４２）及び前記可動体（４３）を光透過性材料により構成し、前記台座（４２）内に前記球通路（４１）の下側から前記可動体（４３）側へと光を照射する発光体（４８）を備えたことを特徴とする弾球遊技機。
【請求項２】
中空状の前記可動体（４３）の内部に後方に傾斜する傾斜リブ（６０）を設け、該傾斜リブ（６０）に乱反射部（６０ａ）を設けたことを特徴とする請求項１に記載の弾球遊技機。
【請求項３】
前記可動体（４３）は前記第１状態（Ａ）のときに遊技球を前記球通路（４１）へと案内する内側壁（５７）と、前記第２状態（Ｂ）のときに前記球通路（４１）への遊技球を阻止する外側壁（５８）とを左右に備えた中空状とし、前記内側壁（５７）と前記外側壁（５８）とを左右に連結する前記傾斜リブ（６０）を設け、少なくとも前記傾斜リブ（６０）より後側の前記両側壁（５７，５８）の内面に乱反射部（５７ａ，５８ａ）を設けると共に、前記傾斜リブ（６０）に前記乱反射部（６０ａ）を設けたことを特徴とする請求項２に記載の弾球遊技機。
【請求項４】
前記可動体（４３）は前記球通路（４１）の左右両側にあり、前記台座（４２）は前記球通路（４１）を形成する球通路壁（５０）の下側に、左右両側に受け部（５４）が設けられた収容空間（５２）を備え、該収容空間（５２）内に配置され且つ両端が前記受け部（５４）により支持された発光基板（４９）上の左右両側に、前記各可動体（４３）に対応して前記発光体（４８）を設けたことを特徴とする請求項１〜３の何れかに記載の弾球遊技機。
【請求項５】
前記台座（４２）は前飾り板（７６）と、該前飾り板（７６）から後方に突出し且つ前記球通路（４１）を形成する前記球通路壁（５０）と、前記前飾り板（７６）から後方に突出し且つ前記球通路壁（５０）の下側に前記収容空間（５２）を形成する底壁（５１）とを一体に備え、前記可動体（４３）は前記前飾り板（７６）の後側で前記球通路（４１）の左右両側に下部側の前記支軸（４２ａ）により回動自在に枢支し、前記発光体（４８）は前記収容空間（５２）に配置された前記発光基板（４９）上の左右両側に前記各可動体（４３）に対応して設け、前記発光基板（４９）の下側にハーネス用のコネクタ（６６）を設けたことを特徴とする請求項１〜４の何れかに記載の弾球遊技機。
【発明の詳細な説明】
【技術分野】
【０００１】
本発明は、パチンコ機、アレンジボール機等の弾球遊技機に関し、可変式入賞手段の可動体をその下側の球通路と同時に発光させるようにしたものである。
【背景技術】
【０００２】
パチンコ機等の弾球遊技機では、遊技盤の遊技領域に普通図柄始動手段、普通図柄表示手段，特別図柄始動手段、特別図柄表示手段等を配置し、普通図柄始動手段が遊技球を検出することを条件に普通図柄表示手段が所定時間変動動作を行い、その変動後の普通図柄が当たり態様となったときに特別図柄始動手段が開放し、この特別図柄始動手段が遊技球を検出することを条件に特別図柄表示手段が所定時間変動動作を行い、その変動後の特別図柄が大当たり態様となったときに、遊技者に有利な利益状態を発生させるようにしたものがある。
【０００３】
特別図柄始動手段には、一般に台座上の球通路の左右両側に可動羽根を備えた電動チューリップと云われる可変式入賞手段が使用されている。そして、この可変式入賞手段には発光体からの光を可動羽根に照射して、遊技状態に応じて可動羽根を発光させるようにしたものがある（特許文献１）。
【０００４】
この従来の可変式入賞手段は、遊技盤の前面に当接する取り付け板の裏側に、可動羽根の軸部と略同心上で前方へと光を照射する発光体を配置し、この発光体からの光を反射部材を介して可動羽根の裏面側に発射させることにより、可動羽根を発光させるようにしている。
【先行技術文献】
【特許文献】
【０００５】
【特許文献１】特開２００５−２１３０８号公報
【発明の開示】
【発明が解決しようとする課題】
【０００６】
この可変式入賞手段は、発光体を可動羽根に設ける必要がなく断線等のトラブルを防止できる利点がある。しかし、取り付け板の裏側の発光体から反射部材を経て可動羽根の裏面側に光を照射する構造であるため、発光箇所が可変式入賞手段の前面側の構成部材の内でも可動羽根に限定され、きらびやかさに欠けるという問題がある。
【０００７】
本発明は、このような従来の問題点に鑑み、可動羽根を含め台座の球通路から上側の部分を発光せることができ、きらびやかさをより演出できる可変式入賞手段を備えた弾球遊技機を提供することを目的とする。
【課題を解決するための手段】
【０００８】
本発明は、遊技盤９の前面に固定され且つ球通路４１が設けられた台座４２と、該台座４２上に前後方向の支軸４２ａにより枢支され且つ遊技球を前記球通路４１へと案内し易い第１状態Ａと案内しない又は案内し難い第２状態Ｂとの間で回動自在な可動体４３と、前記台座４２の後方に配置され且つ前記可動体４３を前記各状態Ａ，Ｂに前記支軸４２ａ廻りに駆動する駆動手段４７とを有する可変式入賞手段２９を備えた弾球遊技機において、前記台座４２及び前記可動体４３を光透過性材料により構成し、前記台座４２内に前記球通路４１の下側から前記可動体４３側へと光を照射する発光体４８を備えたものである。
【発明の効果】
【０００９】
本発明によれば、台座４２及び可動体４３を光透過性材料により構成し、台座４２内に球通路４１の下側から可動体４３側へと光を照射する発光体４８を備えているので、可動体４３を含め台座４２の球通路４１から上側の部分を発光せることができ、きらびやかさをより演出できる利点がある。
【発明を実施するための最良の形態】
【００１０】
以下、本発明の実施形態を図面に基づいて詳述する。図１〜図１０は本発明をパチンコ機に採用した第１の実施形態を例示している。図１において、遊技機本体１は、矩形状の外枠２と、この外枠２の前側に縦軸廻りに開閉自在に枢着された前枠３とを備えている。前枠３の前側にはガラス扉４と前面板５とが上下に配置され、前枠３に対して縦軸廻りに開閉自在に枢支されている。
【００１１】
前面板５の前側には発射用の遊技球を貯留する上皿６が、前面板５の下側で前枠３の前側には余剰球等を貯留する下皿７が夫々配置されている。下皿７の一側には、遊技球を発射する発射手段（図示省略）の発射ハンドル８が設けられている。ガラス扉４の裏側には、このガラス扉４に対応するように前枠３に遊技盤９が着脱自在に装着されている。
【００１２】
遊技盤９の前面には、図２に示すように、発射手段から発射された遊技球を案内するガイドレール１０が略円弧状に配設されると共に、そのガイドレール１０の内側の遊技領域１１に可変表示手段１２、普通図柄始動手段１３、特別図柄始動手段（可変式入賞手段）１４、大入賞手段１５、普通入賞手段１６等の各種遊技部品が配置されている。
【００１３】
可変表示手段１２は例えば遊技領域１１の略中央に配置されており、遊技盤９に前面側から装着された表示ケース１７と、この表示ケース１７の略中央に配置された例えば液晶式の可変表示部１８とを備えている。表示ケース１７には、普通図柄表示手段２１、普通保留個数表示手段２２、特別図柄表示手段２３、特別保留個数表示手段２４等が設けられている。可変表示部１８は各種動画、静止画等を表示可能であり、演出表示手段２５を構成している。
【００１４】
普通図柄表示手段２１は、普通図柄を変動表示するためのもので、複数種類の普通図柄（例えば２種類の「○」「×」）に対応する複数個の発光手段により構成されており、普通図柄始動手段１３が遊技球を検出することを条件に２つの発光手段が交互に点灯するように所定時間点滅して、普通図柄始動手段１３の遊技球の検出時に取得された当たり判定用乱数値が予め定められた当たり判定値と一致した場合には当たり態様の「○」側の発光手段が点灯し、それ以外の場合には外れ態様の「×」側の発光手段が点灯して停止するようになっている。
【００１５】
特別図柄表示手段２３は、１個又は複数個、例えば１個の特別図柄を変動表示可能な７セグメント式等の表示手段により構成されており、特別図柄始動手段１４が遊技球を検出することを条件に特別図柄を所定時間変動表示して、特別図柄始動手段１４の遊技球の検出時に取得された大当たり判定乱数値が予め定められた大当たり判定値と一致した場合には所定の大当たり態様で、それ以外の場合には外れ態様で停止するようになっている。
【００１６】
演出表示手段２５は、特別図柄表示手段２３による特別図柄の変動表示と時間的に同調して演出表示を行うもので、例えば左右方向に３個並べられた演出図柄２６と、その演出図柄２６の背景に表示される演出画像２７とを表示可能に構成されており、演出図柄２６及び演出画像２７の変動表示を、所定の演出パターンに従って特別図柄の変動開始と同時に開始させ、特別図柄の変動終了と同時に終了させるようになっている。
【００１７】
なお、演出図柄２６の変動後の停止図柄は、特別図柄表示手段２３による特別図柄が大当たり態様で停止する場合にはその特別図柄と同じ図柄の大当たり態様となり、特別図柄が外れ態様で停止する場合には任意の外れ態様となる。例えば、特別図柄が「７」で停止する場合には演出図柄２６は「７・７・７」で停止し、特別図柄が「−」で停止する場合には演出図柄２６は「３・４・５」等の任意の外れ態様で停止するようになっている。
【００１８】
特別図柄始動手段１４は、図３〜図１０に示すように、固定式入賞手段２８と電動チューリップ等の可変式入賞手段２９とを上下に備えると共に、遊技盤９の前面に固定された取り付け板３１と、この取り付け板３１の裏側に一体に形成された胴体部３２と、胴体部３２の裏側に装着された内ケース３３及び外ケース３４とを備え、取り付け板３１から後側が遊技盤９の装着孔３５に前側から挿入されている。
【００１９】
固定式入賞手段２８は、図３〜図６に示すように、取り付け板３１の上部から前側へと一体に突出して上向きに開口する第１入賞口３６と、この第１入賞口３６の後側に連通して胴体部３２の上側から内ケース３３内に跨がって形成された第１誘導通路３７と、この第１誘導通路３７の後端から内ケース３３及び外ケース３４内に下方へと上下方向に形成された落下通路３８と、落下通路３８の上端側に設けられ且つ落下通路３８から落下する遊技球を検出する第１検出スイッチ３９とを備えている。
【００２０】
そして、この固定式入賞手段２８は、遊技盤９の前側で第１入賞口３６に入賞した遊技球を第１誘導通路３７を経て遊技盤９の裏側へと誘導し、第１検出スイッチ３９で検出した後、落下通路３８から遊技盤９の裏側で下方へと落下させるようになっている。
【００２１】
可変式入賞手段２９は、図３〜図８に示すように、取り付け板３１の前側で第１入賞口３６の下側に位置する第２入賞口４０と、取り付け板３１の下部に装着され且つ第２入賞口４０からの遊技球を後側に案内する球通路４１を上面側に有する台座４２と、この台座４２の前端に一体に形成され且つ台座４２から上側に突出する前飾り板７６と、取り付け板３１及び前飾り板７６間で球通路４１の左右両側に配置され且つ前後方向の支軸４２ａ廻りに回動して第２入賞口４０を開閉する左右一対の可動体４３と、球通路４１の後側に連通して胴体部３２内に前後方向に形成された第２誘導通路４４と、遊技盤９の裏側で第２誘導通路４４の後端の落下口４５から下方へと落下する遊技球を検出する第２検出スイッチ４６と、内ケース３３及び外ケース３４の後端側に固定され且つ可動体４３を駆動する駆動ソレノイド（駆動手段）４７と、台座４２内の発光基板４９に装着され且つ球通路４１の下側から可動体４３及び球通路４１に対して上向きに光を照射する発光体４８とを備えている。
【００２２】
台座４２、前飾り板７６、可動体４３は共に光透過性を有する透明又は半透明な合成樹脂材により構成されている。一方、取り付け板３１は不透明な合成樹脂材により構成されている。
【００２３】
台座４２は、図８、図９等に示すように、球通路４１を形成する球通路壁５０と、この球通路壁５０の両端部側をその下側を経て左右に連結する底壁５１とを備え、上下方向に薄く左右方向に長い偏平状に構成されている。台座４２の球通路壁５０と底壁５１との間には球通路４１の下側に対応して収容空間５２が形成され、この収容空間５２の左右両側に、球通路壁５０と底壁５１とを上下に接続するように前後方向の取り付けボス５３が設けられ、取り付け板３１の裏側からこの取り付けボス５３に螺合するネジにより、台座４２が取り付け板３１の前面に着脱自在に固定されている。また各取り付けボス５３の側部には、前後方向の溝状等の受け部５４が左右方向に相対向して形成されている。
【００２４】
球通路壁５０上には、図８、図９等に示すように、前飾り板７６側から後下がりに傾斜する左右一対の通路リブ５５が左右方向の中央部に、その両側に補強リブ５６が夫々形成され、左右一対の通路リブ５５の上端側が第２誘導通路４４へと遊技球を案内する球通路４１となっている。第２誘導通路４４は取り付け板３１の左右方向の略中央に形成された開口を経て後方へと延びており、落下通路３８の前側近傍で遊技球を下方へと落下させるようになっている。
【００２５】
各可動体４３は図８、図９に示すように、その下部側が取り付け板３１と前飾り板７６との間に支架された支軸４２ａにより枢支されており、第１状態Ａと第２状態Ｂ（図８参照）との間で支軸４２ａ廻りに左右方向に回動自在である。第１状態Ａは可動体４３が支軸４２ａから外側へと傾斜して第２入賞口４０の左右両側を開放する状態であり、この第１状態Ａでは上方から落下する遊技球を可動体４３で受けて第２入賞口４０を経て球通路４１へと案内し易くなる。また第２状態Ｂは可動体４３が支軸４２ａから第１入賞口３６の下部両側に向かって起立する状態であり、この第２状態Ｂでは第２入賞口４０を経て球通路４１へと遊技球が入賞しないように阻止する。
【００２６】
各可動体４３は図８〜図１０に示すように中空状の可動羽根型であって、第１状態Ａのときに外上がりの傾斜面を形成して遊技球を第２入賞口４０から球通路４１へと案内する内側壁５７と、内側壁５７の上端から外広がり状に下側へと円弧状に湾曲し且つ第２状態Ｂのときに球通路４１への遊技球の入賞を阻止する外側壁５８とを左右に備え、この内側壁５７と外側壁５８との下端部間に、この両側壁５７，５８を左右に連結する下壁５９が形成されている。なお、図３〜図９では記載の都合上、左右の可動体４３の内、正面視で右側の可動体４３は第１状態Ａに位置し、左側の可動体４３は両状態Ａ，Ｂの中間に位置した状態を示す。
【００２７】
可動体４３の内部には、後側に傾斜する傾斜リブ６０が両側壁５７，５８を左右に連結するように一体に形成されている。傾斜リブ６０はその下端が可動体４３の前端又は前端近傍に位置し、上端が可動体４３の後端近傍又は後端に位置する等、下端よりも後側に位置している。そして、可動体４３の内部には、傾斜リブ６０よりも後側の内側壁５７及び外側壁５８に乱反射部５７ａ，５８ａが形成され、また傾斜リブ６０の前面側に乱反射部６０ａが形成されている。
【００２８】
なお、乱反射部５７ａ，５８ａは前後方向の凹凸条を、また乱反射部６０ａは左右方向の凹凸条を夫々上下方向に多数形成して構成されているが、他の凹凸形状、粗面状に構成することも可能である。
【００２９】
前飾り板７６の前面には、周縁部を除いて乱反射部７６ａが形成されている。この乱反射部７６ａは発光体４８の発光時にその部分を発光させる目的と、前飾り板７６の裏側を透視し難くするためのものであり、突起を縦方向、横方向に多数形成して構成されている。また底壁５１の内面には内部を透視し難くするための凹凸模様５１ａが形成されている。この凹凸模様５１ａは前後方向の凹凸条を左右方向に多数形成して構成されている。
【００３０】
可動体４３の下部には支軸４２ａが回動自在に挿通される挿通部６２があり、この挿通部６２は下壁５９の下側で内側壁５７の近傍に配置されている。そして、この挿通部６２の下側に突起６３があり、この突起６３が球通路壁５０の外側の第２規制部６４に当接して、可動体４３を第２状態Ｂに規制するようになっている。球通路壁５０の第２規制部６４の外側には第１規制部６５があり、この第１規制部６５に外側壁５８の下部が当接して、可動体４３を第１状態Ａに規制するようになっている。
【００３１】
発光基板４９は左右方向に長い矩形状であって、図６、図８及び図９に示すように、左右両端が受け部５４に支持された収容空間５２に裏側から挿脱自在に挿入されている。この発光基板４９には、球通路壁５０の下側から可動体４３に対して上方へと光を照射するように、その上面の左右両側に発光ダイオード等の発光体４８が装着され、また下側にハーネス用のコネクタ６６が装着されている。各発光体４８は第１状態Ａの可動体４３の内側壁５７の下側付近にあり、可動体４３と球通路４１とに対して例えば図８の範囲Ｓで球通路壁４９を介して光を照射するようになっている。
【００３２】
駆動ソレノイド４７は通常作動アーム６７を介して各可動体４３を第２状態Ｂに保持しておき、通電された場合に作動アーム６７を介して各可動体４３を第２状態Ｂから第１状態Ａへと回動させ、また通電が解除された場合に第２状態Ｂに戻すようになっている。
【００３３】
即ち、駆動ソレノイド４７は、図３〜図７に示すように落下通路３８の裏側近傍に配置され、その可動鉄心６８が下向きに突出している。作動アーム６７は図７に示すように、外ケース３４内で落下通路３８の左右両側に前後方向に配置され、落下通路３８の両側で左右方向の枢軸６９により内ケース３３に上下揺動自在に枢支されると共に、後端側の連結部７０で左右に連結され、その連結部７０が可動鉄心６８の下端部に係合具７１を介して係合されている。係合具７１は可動鉄心６８に套嵌されたバネにより下方に付勢されている。
【００３４】
作動アーム６７は前端に上下に二股状の係合部７２を有し、この係合部７２に可動体４３から取り付け板３１の円弧孔等の貫通孔７３を貫通して裏側に突出する係合ピン７４が係合している。係合ピン７４は支軸４２ａよりも外側で外側壁５８の下部側から後方に突出している。
【００３５】
発光基板４９はハーネスを介して遊技盤９の裏側の演出制御基板（図示省略）等に接続されており、普通図柄表示手段２１の変動後の普通図柄が当たり態様で停止するとき又は停止したとき、演出表示手段２５の演出図柄２６が所定の演出パターンに従って変動するとき、又は演出図柄２６が特定のリーチパターンに従って変動するとき等、遊技盤９側の遊技状態に応じて発光体４８を発光させるようになっている。
【００３６】
なお、左右の可動体４３の内側壁５７には、図３、図５、図８及び図９に示すように、この内側壁５７に沿って第２入賞口４０へと案内される遊技球の向きを前後逆方向に向けるための案内突部４３ａ，４３ｂが設けられている。即ち、一方の可動体４３の内側壁５７の案内突部４３ａは遊技球を第２入賞口４０の前側に、他方の可動体４３の内側壁５７の案内突部４３ｂは遊技球を第２入賞口４０の後側に夫々案内するように前後方向の反対側に設けられている。
【００３７】
また前飾り板７６の球通路４１側に案内突起７５が設けられている。この案内突起７５には前側へと案内する一方の案内突部４３ａに対応する側に、前飾り板７６に対して直角又はそれに近い角度の阻止部７５ａが形成され、後側へと案内する他方の案内突部４３ｂに対応する側に、前飾り板７６に対して傾斜状の後案内部７５ｂが形成されている。前側へと案内する案内突部４３ａは、反対側の案内突部４３ｂよりも突出高さが大である。
【００３８】
上記構成において、遊技球が普通図柄始動手段１３に入賞すると、普通図柄表示手段２１が変動動作を行い、所定時間の変動後に当たり態様又は外れ態様を停止表示する。そして、普通図柄表示手段２１が変動後に当たり態様を停止表示すれば、駆動ソレノイド４７の駆動により、可変式入賞手段２９の左右一対の可動体４３が支軸４２ａ廻りに第２状態Ｂから第１状態Ａへと両側に回動して第２入賞口４０を開放する。従って、特別図柄始動手段１４は固定式入賞手段２８、可変式入賞手段２９の何れにも遊技球が入賞可能な状態となり、その何れかに遊技球が入賞して検出スイッチ３９，４６が遊技球を検出することを条件に特別図柄表示手段２３の特別図柄が所定時間変動する。
【００３９】
駆動ソレノイド４７が励磁すると、可動鉄心６８が上昇して作動アーム６７の後部側を引き上げるため、作動アーム６７が枢軸６９廻りに揺動して前端側の係合部７２が下降する。このため可動体４３の係合ピン７４が下方に押し下げられて、可動体４３が支軸４２ａ廻りに第２状態Ｂから第１状態Ａへと回動し、各可動体４３を経て第２入賞口４０へと遊技球が入賞し易くなる。
【００４０】
このようなゲーム中において、例えば普通図柄表示手段２１が変動後に当たり態様を停止表示する等の所定の発光条件が充足されると、台座４２内の発光体４８が連続発光又は点滅発光して、その連続光又は点滅光を球通路４１の下側から上側へと照射する。このため台座４２、前飾り板７６及び可動体４３が光透過性を有する材料により構成されていることから、可変式入賞手段２９の取り付け板３１から前側で球通路４１から上側の部分が全体的に発光状態となり、従来に比較してきらびやかさが増し優れた演出効果を発揮することができる。
【００４１】
各可動体４３は内側壁５７と外側壁５８との間に後側に傾斜する傾斜リブ６０を備え、この傾斜リブ６０の後側の両側壁５７，５８の内面に乱反射部５７ａ，５８ａを形成し、傾斜リブ６０の前面に乱反射部６０ａを形成する一方、球通路４１の下側の発光体４８が各可動体４３に対応しており、発光体４８の発光時にその光が両側壁５７，５８の乱反射部５７ａ，５８ａ、傾斜リブ６０の乱反射部６０ａで夫々乱反射する。このため各可動体４３は左右方向の両側、前側の何れの方向から見ても、各乱反射部５７ａ，５８ａ，６０ａの乱反射によって他の部分に比して明るく発光し、前側全体が発光しながらも、左右の可動体４３の発光状態を強調することができる。
【００４２】
特に左右の内側壁５７、外側壁５８の内面に乱反射部５７ａ，５８ａがあり、またその両者間の傾斜リブ６０にも乱反射部６０ａがあるため、内側壁５７、外側壁５８を前端面から見た場合、傾斜リブ６０を前面側から見た場合にも、可動体４３の発光状態を得ることができる。
【００４３】
可動体４３が第２状態Ｂにある場合、又は第２状態Ｂに近い位置にある場合には、第１状態Ａの場合に比較して発光体４８の光が可動体４３に入射し易くなり、発光体４８の発光によって可動体４３をより明るく発光させることができる。このため可動体４３が第１状態Ａと第２状態Ｂとの間で回動する間に、可動体４３の発光状態を変化させることもできる。従って、例えば可動体４３が比較的短時間に複数回開閉動作を行う場合には、位置によって発光状態が変化しながら可動体４３が開閉する等、その演出性が向上する。
【００４４】
また発光体４８は可動体４３の他、球通路壁５０を介して左右の可動体４３間の球通路４１側にも光を照射しており、しかもその球通路壁５０上に通路リブ５５、補強リブ５６等の構造物があるため、発光体４８から直接照射する光により、又はその光と可動体４３の外周で乱反射した光或いは可動体４３から漏れた光等により、球通路４１側も複雑に発光させることができる。更に前飾り板７６の前面を発光させることもできる。
【００４５】
図１１は本発明の第２の実施形態を例示する。この実施形態では、可動体４３の傾斜リブ６０の裏面に乱反射部６０ａが形成されている。このように傾斜リブ６０の裏面に乱反射部６０ａがある場合にも、傾斜リブ６０を前側から見た場合に、その傾斜リブ６０を発光させることができる。
【００４６】
図１２〜図１４は本発明の第３の実施形態を例示する。この実施形態では、前飾り板７６の前面に、乱反射部７６ａとその外周側に平滑状に形成された貼着部７６ｂに対応して装飾シール等の装飾シート７７が貼着されている。前飾り板７６は前側に突出する外周突出縁７６ｃの内側に、乱反射部７６ａとこの乱反射部７６ａの外周を取り囲む周方向の貼着部７６ｂとを有する。また貼着部７６ｂは下部中央でＣ字状に途切れており、その部分に乱反射部７６ａと同様の乱反射部７６ｄと位置決め突起７６ｅとが設けられている。
【００４７】
装飾シート７７は合成樹脂シート等により構成され、外周突出縁７６ｃの内側で前飾り板７６の前面に貼着されている。この装飾シート７７は、前飾り板７６の乱反射部７６ａに対応して形成され且つこの乱反射部７６ａからの光を前面側へと透過する透過部７７ａと、この透過部７７ａの外周に貼着部７６ｂに対応して形成された不透過部７７ｂと、位置決め突起７６ｅに対応して中央下部に切り欠き形成された位置決め凹部７７ｃとを有し、不透過部７７ｂの裏面に粘着剤７７ｄが塗布されている。透過部７７ａは着色透明等であり、不透過部７７ｂは印刷その他で光を透過しないようになっている。
【００４８】
このように前飾り板７６の前面に、透過部７７ａを有し且つ適宜印刷等が施された装飾シート７７を貼着することにより、装飾性が更に向上する利点がある。また装飾シート７７の透過部７７ａを着色すれば、前飾り板７６の乱反射部７６ａが無色透明等であっても、装飾シート７７の透過部７７ａを介して着色発光を演出できる。
【００４９】
装飾シート７７を貼着する場合には、その位置決め凹部７７ｃを前飾り板７６の位置決め突起７６ｅに合わせて、裏側の粘着剤７７ｄを介して前飾り板７６の貼着部７６ｂに貼着すればよい。このため装飾シート７７を適正な位置に容易に貼着でき、作業性が著しく向上する。
【００５０】
また前飾り板７６側には乱反射部７６ａの外周に貼着部７６ｂがあり、装飾シート７７には透過部７７ａの外周に粘着剤７７ｄがあるので、前飾り板７６側に凹凸状、粗面状等の乱反射部７６ａがあるにも拘らず、前飾り板７６の前面に装飾シート７７を容易且つ確実に貼着することができる。しかも粘着剤７７ｄは不透過部７７ｂの裏面に対応しているため、その粘着剤７７ｄを不透過部７７ｂによって前側から覆うことができる。
【００５１】
なお、発光体４８の発光時には、位置決め凹部７７ｃ内で乱反射部７６ｄ及び位置決め突起７６ｅが発光する。
【００５２】
以上、本発明の実施形態について詳述したが、本発明はこの実施形態に限定されるものではなく、本発明の趣旨を逸脱しない範囲で種々の変更が可能である。例えば、実施形態では、特別図柄始動手段１４の可変式入賞手段２９について例示しているが、特別図柄始動手段１４以外のものでも同様に実施可能である。
【００５３】
また特別図始動手段１４の可変式入賞手段２９に採用する場合でも、その上側の固定式入賞手段２８は省略してもよい。この場合には、可動体４３が第２状態Ｂに起立しているときに、その両可動体４３の上端間は遊技球が入賞しないように接近して閉じた状態であってもよいし、可動体４３間から遊技球が入賞できるものの入賞し難い程度に開いた状態であってもよい。
【００５４】
更に可変式入賞手段２９の可動体４３は通常左右に一対あるが、球通路４１の左右方向の一方に障害物があり、他方側が入賞口となる場合には、その他方側に１個の可動体４３があれば十分である。第１状態Ａと第２状態Ｂとの間で回動する可動体４３を３個以上組み合わせたものであってもよい。可動体４３は羽根形状以外のものでもよい。
【００５５】
実施形態では発光基板４９上の左右両側に発光体４８が１個ずつあり、その各発光体４８が可動体４３と球通路４１との両方に対して光を照射するようにしているが、左右に夫々複数（例えば２個）の発光体４８を設け、その一部（例えば１個）の発光体４８が可動体４３側に、残り（例えば残りの１個）の発光体４８が球通路４１側に夫々光を照射するようにしてもよい。
【００５６】
実施形態では第２状態Ｂのときに発光体４８から可動体４３へと光が入射し易くなっているが、発光基板４９に対する発光体４８の装着角度、装着位置等を変えて、第１状態Ａのときに発光体４８からの光が可動体４３へと入射し易くなるようにしてもよい。
【００５７】
また実施形態では、可動体として可動体４３を例示しているが、第１状態Ａと第２状態Ｂとの間で往復回動するものであれば、その可動体は羽根形状以外のものでもよい。駆動手段は駆動ソレノイド４７以外のもの、例えばモータを使用してもよい。側壁５７，５８の乱反射部５７ａ，５８ａは傾斜リブ６０の前後両側に設けてもい。
【００５８】
発光体４８は、ゲームの構成等を考慮して演出効果を期待できる条件を充足したときに発光させればよい。台座４２、可動体４３は、実施形態に例示の形状、構造以外のものでもよい。その他、本発明はアレンジボール機、雀球遊技機等の他の弾球遊技機においても同様に実施可能であることは言うまでもない。
【図面の簡単な説明】
【００５９】
【図１】本発明の第１の実施形態を示すパチンコ機の斜視図である。
【図２】同遊技盤の正面図である。
【図３】同特別図柄始動手段の斜視図である。
【図４】同遊技盤の特別図柄始動手段の部分の正面図である。
【図５】同遊技盤の特別図柄始動手段の部分の平面図である。
【図６】図５のａ−ａ線断面図である。
【図７】図５のｂ−ｂ線断面図である。
【図８】図５のｃ−ｃ線断面図である。
【図９】同可変式入賞手段の前部側の斜視図である。
【図１０】同可動体の断面図である。
【図１１】本発明の第２の実施形態を示す可動体の断面図である。
【図１２】本発明の第３の実施形態を示す特別図柄始動手段の斜視図である。
【図１３】同特別図柄始動手段の正面図である。
【図１４】同装飾シート等の面図である。
【符号の説明】
【００６０】
９  遊技盤
４１  球通路
４２  台座４２
４３  可動体
２９  可変式入賞手段
４２  支軸
４７  駆動ソレノイド（駆動手段）
４８  発光体
４９  球通路壁
５１  底壁
５２  収容空間
５４  受け部
５７  内側壁
５８  外側壁
５７ａ，５８ａ  乱反射部
６０  傾斜リブ
６０ａ  乱反射部
６６  コネクタ
７６  前飾り板
Ａ  第１状態
Ｂ  第２状態
【図１】
2011056313.tif 000003
【図２】
2011056313.tif 000004
【図３】
2011056313.tif 000005
【図４】
2011056313.tif 000006
【図５】
2011056313.tif 000007
【図６】
2011056313.tif 000008
【図７】
2011056313.tif 000009
【図８】
2011056313.tif 000010
【図９】
2011056313.tif 000011
【図１０】
2011056313.tif 000012
【図１１】
2011056313.tif 000013
【図１２】
2011056313.tif 000014
【図１３】
2011056313.tif 000015
【図１４】
2011056313.tif 000016
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
入賞口の左右両側に配置され且つ前記入賞口に遊技球が入賞し易い第１状態と入賞しない又は入賞し難い第２状態との間で回動自在に枢支された左右一対の可動体と、前記入賞口に入賞した遊技球を遊技盤の裏側の落下口へと案内する通路と、前記落下口から落下する遊技球を検出する検出スイッチとを有する可変式入賞手段を備えた弾球遊技機において、前記入賞口の下側に配置され且つ該入賞口に入賞した遊技球を前記通路へと後方に案内する通路リブと、該通路リブの下側に配置された底壁との間に、前記検出スイッチの前側で該検出スイッチと略同高さに配置された発光基板を設け、該発光基板の左右両端部の上面に、前記各可動体に下側から光を照射する発光体を設け、前記発光基板の下面にハーネス用のコネクタを設けたことを特徴とする弾球遊技機。
【手続補正２】
【補正対象書類名】明細書
【補正対象項目名】０００７
【補正方法】変更
【補正の内容】
【０００７】
本発明は、このような従来の問題点に鑑み、きらびやかさをより演出できる可変入賞手段を備えた弾球遊技機を提供することを目的とする。
【手続補正３】
【補正対象書類名】明細書
【補正対象項目名】０００８
【補正方法】変更
【補正の内容】
【０００８】
本発明は、入賞口の左右両側に配置され且つ前記入賞口に遊技球が入賞し易い第１状態と入賞しない又は入賞し難い第２状態との間で回動自在に枢支された左右一対の可動体と、前記入賞口に入賞した遊技球を遊技盤の裏側の落下口へと案内する通路と、前記落下口から落下する遊技球を検出する検出スイッチとを有する可変式入賞手段を備えた弾球遊技機において、前記入賞口の下側に配置され且つ該入賞口に入賞した遊技球を前記通路へと後方に案内する通路リブと、該通路リブの下側に配置された底壁との間に、前記検出スイッチの前側で該検出スイッチと略同高さに配置された発光基板を設け、該発光基板の左右両端部の上面に、前記各可動体に下側から光を照射する発光体を設け、前記発光基板の下面にハーネス用のコネクタを設けたものである。
【手続補正４】
【補正対象書類名】明細書
【補正対象項目名】０００９
【補正方法】変更
【補正の内容】
【０００９】
本発明によれば、きらびやかさをより演出できる利点がある。